(57)【要約】【課題】上ワイヤおよび下ワイヤをスライダに取り付けやすいウィンドレギュレータの製造方法を提供する。【解決手段】ガイドレールに沿って移動可能なスライダと、一端がスライダに取り付けられ、他端が駆動部に取り付けられた上ワイヤおよび下ワイヤと、を有する、ウィンドレギュレータの製造方法であって、上ワイヤおよび下ワイヤの一端をスライダに取り付ける取付工程と、スライダのワイヤ巻き取り部を回転させて上ワイヤおよび下ワイヤに張力を与える、ウィンドレギュレータの製造方法。【選択図】図３
2016180261.tif 000002
【特許請求の範囲】
【請求項１】
車両のドアに取り付けられ、窓ガラスを昇降させるウィンドレギュレータの製造方法であって、前記ウィンドレギュレータは、
車両の上下方向に延びるガイドレールと、
窓ガラスが取り付けられ、前記ガイドレールに沿って移動可能なスライダと、
ワイヤを繰り出しおよび引き込み可能な駆動部と、を有し、
前記ワイヤは、一端が前記スライダに取り付けられ、他端が前記駆動部に取り付けられた上ワイヤと、一端が前記スライダに取り付けられ、他端が前記駆動部に取り付けられた下ワイヤと、を有し、
前記スライダは、
前記上ワイヤの一端が取り付けられる第一取付部と、
前記下ワイヤの一端が取り付けられる第二取付部と、
前記上ワイヤおよび前記下ワイヤの少なくとも一方を巻き取るワイヤ巻き取り部と、を有する、前記ウィンドレギュレータの製造方法は、
前記上ワイヤの他端を前記駆動部に取り付け、前記上ワイヤの一端を前記第一取付部に取り付ける、上ワイヤ取付工程と、
前記下ワイヤの他端を前記駆動部に取り付け、前記下ワイヤの一端を前記第二取付部に取り付ける、下ワイヤ取付工程と、
前記上ワイヤ取付工程および前記下ワイヤ取付工程の後に、前記ワイヤ巻き取り部を回転させて、前記上ワイヤおよび前記下ワイヤの少なくとも一方を巻き取って前記上ワイヤおよび前記下ワイヤの少なくとも一方に張力を与える、張力付与工程と、を有するウィンドレギュレータの製造方法。
【請求項２】
前記張力付与工程の後に、前記スライダを前記ガイドレールに取り付ける工程を有し、
前記スライダを、前記スライダが前記ガイドレールに取り付けられる取付姿勢に対して傾けた状態で、前記上ワイヤ取付工程および前記下ワイヤ取付工程を行い、
前記スライダを前記取付姿勢となるように回転させて、前記張力付与工程を行う、請求項１に記載のウィンドレギュレータの製造方法。
【請求項３】
車両のドアに取り付けられ、窓ガラスを昇降させるウィンドレギュレータにおいて、
車両の上下方向に延びるガイドレールと、
窓ガラスが取り付けられ、前記ガイドレールに沿って移動可能なスライダと、
ワイヤを繰り出しおよび引き込み可能な駆動部と、を有し、
前記ワイヤは、一端が前記スライダに取り付けられ、他端が前記駆動部に取り付けられた上ワイヤと、一端が前記スライダに取り付けられ、他端が前記駆動部に取り付けられた下ワイヤと、を有し、
前記スライダは、
前記上ワイヤの一端が取り付けられる第一取付部と、
前記下ワイヤの一端が取り付けられる第二取付部と、
前記上ワイヤおよび前記下ワイヤを巻き取って前記上ワイヤおよび前記下ワイヤに張力を付与するワイヤ巻き取り部を有する、ウィンドレギュレータ。
【請求項４】
前記スライダは、前記ガイドレールに案内されるガイド部を備えた本体部を有し、
前記ワイヤ巻き取り部は、前記本体部に固定されている、請求項３に記載のウィンドレギュレータ。
【請求項５】
前記ワイヤ巻き取り部の前記上ワイヤおよび前記下ワイヤが接触する面は円弧状である、請求項３または４に記載のウィンドレギュレータ。
【発明の詳細な説明】
【技術分野】
【０００１】
本発明は、ウィンドレギュレータおよびその製造方法に関する。
【背景技術】
【０００２】
特許文献１などに、車両に搭載されるウィンドレギュレータが知られている。ウィンドレギュレータは、上下方向に延びるガイドレールと、ガイドレールにガイドされかつ窓ガラスが固定されるスライダを備えている。スライダをガイドレールに沿って移動させることにより、窓ガラスが昇降される。
このようなウィンドレギュレータにおいて、スライダは、上ワイヤと下ワイヤに接続されている。上ワイヤに張力を加えることでスライダを上方へ移動させ、下ワイヤに張力を加えることでスライダを下方へ移動可能とされている。
【先行技術文献】
【特許文献】
【０００３】
【特許文献１】特開２０１３−２１７０２７号公報
【発明の概要】
【発明が解決しようとする課題】
【０００４】
ところで、ウィンドレギュレータの製造工程において、たるまないように上ワイヤおよび下ワイヤをスライダに取り付けるために、上ワイヤおよび下ワイヤに大きな張力を付与しながら取り付け作業をする必要があり、この作業が大きな負担になっていた。
そこで本発明は、上ワイヤおよび下ワイヤをスライダに取り付けやすいウィンドレギュレータおよびその製造方法を提供することを目的とする。
【課題を解決するための手段】
【０００５】
本発明に係るウィンドレギュレータの製造方法は、
車両のドアに取り付けられ、窓ガラスを昇降させるウィンドレギュレータの製造方法であって、前記ウィンドレギュレータは、
車両の上下方向に延びるガイドレールと、
窓ガラスが取り付けられ、前記ガイドレールに沿って移動可能なスライダと、
ワイヤを繰り出しおよび引き込み可能な駆動部と、を有し、
前記ワイヤは、一端が前記スライダに取り付けられ、他端が前記駆動部に取り付けられた上ワイヤと、一端が前記スライダに取り付けられ、他端が前記駆動部に取り付けられた下ワイヤと、を有し、
前記スライダは、
前記上ワイヤの一端が取り付けられる第一取付部と、
前記下ワイヤの一端が取り付けられる第二取付部と、
前記上ワイヤおよび前記下ワイヤの少なくとも一方を巻き取るワイヤ巻き取り部と、を有する、前記ウィンドレギュレータの製造方法は、
前記上ワイヤの他端を前記駆動部に取り付け、前記上ワイヤの一端を前記第一取付部に取り付ける、上ワイヤ取付工程と、
前記下ワイヤの他端を前記駆動部に取り付け、前記下ワイヤの一端を前記第二取付部に取り付ける、下ワイヤ取付工程と、
前記上ワイヤ取付工程および前記下ワイヤ取付工程の後に、前記ワイヤ巻き取り部を回転させて前記上ワイヤおよび前記下ワイヤの少なくとも一方を巻き取って前記上ワイヤおよび前記下ワイヤの少なくとも一方に張力を与える、張力付与工程と、を有する。
【０００６】
上記のウィンドレギュレータの製造方法において、ワイヤ巻き取り部を回転させるだけで、簡単に上ワイヤおよび下ワイヤの少なくとも一方に張力を付与できる。
【０００７】
上記のウィンドレギュレータの製造方法において、
前記張力付与工程の後に、前記スライダを前記ガイドレールに取り付ける工程を有し、
前記スライダを、前記スライダが前記ガイドレールに取り付けられる取付姿勢に対して傾けた状態で、前記上ワイヤ取付工程および前記下ワイヤ取付工程を行い、
前記スライダを前記取付姿勢となるように回転させて、前記張力付与工程を行ってもよい。
【０００８】
上記のウィンドレギュレータの製造方法によれば、スライダという大きな部材に力を作用させて回転させるので、張力付与工程において大きな力が必要にならない。このため、張力付与工程が大きな負担にならない。
【０００９】
本発明に係るウィンドレギュレータは、
車両のドアに取り付けられ、窓ガラスを昇降させるウィンドレギュレータにおいて、  車両の上下方向に延びるガイドレールと、
窓ガラスが取り付けられ前記ガイドレールに沿って移動可能なスライダと、
ワイヤを繰り出し及び引き込み可能な駆動部と、を有し
前記ワイヤは、一端が前記スライダに取り付けられ、他端が前記駆動部に取り付けられた上ワイヤと、一端が前記スライダに取り付けられ、他端が前記駆動部に取り付けられた下ワイヤと、を有し、
前記スライダは、
前記上ワイヤの一端が取り付けられる第一取付部と、
前記下ワイヤの一端が取り付けられる第二取付部と、
前記上ワイヤおよび前記下ワイヤを巻き取って前記上ワイヤおよび前記下ワイヤに張力を付与するワイヤ巻き取り部を有する。
【００１０】
上記構成のウィンドレギュレータにおいて、
前記スライダは、前記ガイドレールに案内されるガイド部を備えた本体部を有し、
前記ワイヤ巻き取り部は、前記本体部に固定されていてもよい。
上記構成のウィンドレギュレータによれば、スライダという大きな部材に力を作用させて回転させることができるので、上ワイヤおよび下ワイヤに張力を付与するときに大きな力が必要にならない。
【００１１】
上記構成のウィンドレギュレータにおいて、
前記ワイヤ巻き取り部の前記上ワイヤおよび前記下ワイヤが接触する面は、円弧状の面であってもよい。
ワイヤ巻き取り部に接触する上ワイヤおよび下ワイヤに応力が集中する箇所が生じないので、断線しにくい。また、ワイヤ巻き取り部を回転させるときに他の部材と干渉しにくい。
【発明の効果】
【００１２】
上記本発明によれば、上ワイヤおよび下ワイヤをスライダに取り付けやすいウィンドレギュレータおよびその製造方法が提供される。
【図面の簡単な説明】
【００１３】
【図１】本発明の実施形態に係るウィンドレギュレータの斜視図である。
【図２】図１におけるII矢視図である。
【図３】ウィンドレギュレータの製造方法の一工程を示す模式図である。
【図４】ウィンドレギュレータの製造方法の一工程を示す模式図である。
【図５】本発明の変形例に係るウィンドレギュレータの製造方法の一工程を示す模式図である。
【発明を実施するための形態】
【００１４】
以下、本発明の一実施形態に係るウィンドレギュレータ１を、図面を参照して詳細に説明する。図１は、本実施形態に係るウィンドレギュレータ１の正面図である。ウィンドレギュレータ１は、車両に搭載され、窓ガラスを昇降させる装置である。図２は、図１のＩＩ矢視図である。
【００１５】
図１および図２に示すように、ウィンドレギュレータ１は、ガイドレール１０と、スライダ２０と、車両に取り付けられるアクチュエータ５（駆動部の一例）を備えている。
【００１６】
ガイドレール１０は、上下方向に延びる長尺部材である。ガイドレール１０の上部に上プーリ６が設けられている。ガイドレール１０の下部に下プーリ７が設けられている。ガイドレール１０には、取付ブラケット４が設けられている。取付ブラケット４を介して、ガイドレール１０は車体に取り付けられる。
【００１７】
スライダ２０は、ガイドレール１０に移動可能に取り付けられている。スライダ２０は、窓ガラスを支持可能とされている。スライダ２０は、ガイドレール１０にガイドされ、ガイドレール１０に沿って摺動可能とされている。
【００１８】
スライダ２０は、上ワイヤ８および下ワイヤ９を介してアクチュエータ５に接続されている。上ワイヤ８の一端がスライダ２０に取り付けられ、他端がアクチュエータ５に取り付けられている。上ワイヤ８は、上プーリ６に架け渡されている。下ワイヤ９の一端がスライダ２０に取り付けられ、他端がアクチュエータ５に取り付けられている。下ワイヤ９は下プーリ７に架け渡されている。
【００１９】
上述のように構成されたウィンドレギュレータ１は、以下のようにして動作する。アクチュエータ５を駆動させて上ワイヤ８に張力を与えると、スライダ２０がガイドレール１０に沿って上方に移動し、窓ガラスが上昇する。アクチュエータ５を駆動させて下ワイヤ９に張力を与えると、スライダ２０がガイドレール１０に沿って下方に移動し、窓ガラスが下降する。
【００２０】
図２に示すように、スライダ２０は、ガイドレール１０に案内されるガイド部２１を備えた本体部２２を有している。スライダ２０は、ガイドレール１０に対向する面に、ガイド部２１を備えている。ガイド部２１は、ガイドレール１０の縁部に対応する断面形状の溝部を有している（図４参照）。ガイド部２１により、スライダ２０はガイドレール１０に沿って摺動する。本実施形態では、車両の前後方向についてガイドレール１０の上下方向に互いに離間した位置に二つのガイド部２１が設けられている。なお、このガイド部２１によりスライダ２０はガイドレール１０に対して片持ち支持され、スライダ２０はガイドレール１０に対して一方向から組み付けることができる（図４参照）。
【００２１】
図１に戻り、スライダ２０のガイドレール１０と反対側の面には、巻き取り部２３（ワイヤ巻き取り部の一例）と、第一取付部２４と、第二取付部２５とが設けられている。巻き取り部２３は、本体部２２に回転不能に固定されている。巻き取り部２３には、上ワイヤ８および下ワイヤ９が巻き付けられている。第一取付部２４には、上ワイヤ８の一端が取り付けられている。第二取付部２５には、下ワイヤ９の一端が取り付けられている。
【００２２】
巻き取り部２３の後方に第一取付部２４が設けられている。巻き取り部２３の前方に第二取付部２５が設けられている。巻き取り部２３は、略楕円柱形状など、側面視において円弧状の面を有していることが好ましい。本実施形態において、側面視で、略楕円柱状の中心について、第一取付部２４と第二取付部２５は回転対称に設けられている。
【００２３】
上ワイヤ８と下ワイヤ９は、巻き取り部２３に同一周方向に巻回されている。上ワイヤ８は、第一取付部２４に取り付けられた一端からアクチュエータ５に取り付けられた他端に向けて、巻き取り部２３に時計回りに巻回されている。下ワイヤ９は、第二取付部２５に取り付けられた一端からアクチュエータ５に取り付けられた他端に向けて、巻き取り部２３に時計回りに巻回されている。
【００２４】
＜製造方法＞
次に、図３および図４を用いて上記のように構成されるウィンドレギュレータ１の製造方法を説明する。図３および図４は、それぞれウィンドレギュレータ１の製造方法の一工程を示す模式図である。図３は組み立て途中のウィンドレギュレータ１の側面図であり、（ａ）は上ワイヤ８および下ワイヤ９に張力を与える前の状態、（ｂ）は上ワイヤ８および下ワイヤ９に張力を与えた後の状態を示す。図４は、図２におけるＩＶ−ＩＶ断面におけるガイドレール１０およびスライダ２０を示す図であり、（ａ）はガイドレール１０にスライダ２０を取り付ける前の状態、（ｂ）はガイドレール１０にスライダ２０を取り付けた後の状態を示す。
【００２５】
まず、ガイドレール１０に上プーリ６、下プーリ７を取り付ける。
次に、スライダ２０を、図３の（ａ）に示す側面視で、本来の取付姿勢に対して傾いた状態でガイドレール１０上に配置する。図示の状態では、スライダ２０は本来の取付姿勢に対して時計回りに９０°回転した姿勢とされている。本来と取付姿勢とは、図１に示した姿勢であり、この姿勢においてはスライダ２０の上下のガイド部２１の配列方向とガイドレール１０の長手方向とが一致する。なお、図示の例では、スライダ２０は本来の取付姿勢に対して時計回りに９０°回転した姿勢でスライダ２０をガイドレール１０上に配置したが、本発明は、本来の取付姿勢に対して反時計回りに７０°傾けた状態でスライダ２０をガイドレール上に取り付けたりしてもよく、傾ける方向や回転角度は限定されないことは言うまでもない。
【００２６】
この状態で、上ワイヤ８の他端をアクチュエータ５に取り付け、上プーリ６に架け渡し、一端を第一取付部２４に取り付ける。この状態では、上ワイヤ８をたるませた状態で、上ワイヤ８の一端を第一取付部２４に取り付ける。また、下ワイヤ９の他端をアクチュエータ５に取り付け、下プーリ７に架け渡し、一端を第一取付部２４に取り付ける。この状態では、下ワイヤ９をたるませた状態で、下ワイヤ９の一端を第二取付部２５に取り付ける。この工程においては、スライダ２０はまだガイドレール１０に取り付けられていない。
この工程において、上ワイヤ８が第一取付部２４と上プーリ６との間で巻き取り部２３に接触可能なように、上ワイヤ８を配線する。同様に、下ワイヤ９が第二取付部２５と下プーリ７との間で巻き取り部２３に接触可能なように、下ワイヤ９を配線する。
【００２７】
次に、スライダ２０ごと巻き取り部２３をガイドレール１０に対して回転させ、巻き取り部２３でたるんだ状態の上ワイヤ８および下ワイヤ９の一部を巻き取りながら、上ワイヤ８および下ワイヤ９に張力を与える。以下に、詳細に説明する。本実施形態では、スライダ２０をガイドレール１０に対して反時計回りに９０°回転させる。
【００２８】
図３の（ａ）から（ｂ）の状態までスライダ２０をガイドレール１０に対して回転させると、上プーリ６から巻き取り部２３を経た第一取付部２４までの上ワイヤ８の経路が長くなる。具体的には、図３の（ａ）に示した状態では該経路は略直線状であるのに対して、図３の（ｂ）に示した状態では該経路は巻き取り部２３の下端が第一取付部２４より下方に突出した屈曲形状となる。このため、上ワイヤ８の該経路が長くなる。
このように経路長が長くなる結果、たるんだ状態の上ワイヤ８の一部が巻き取り部２３に巻き取られ、上ワイヤ８は巻き取り部２３の下端により下方に引っ張られ、上ワイヤ８に張力が付与される。
【００２９】
同様に、図３の（ａ）から（ｂ）の状態までスライダ２０をガイドレール１０に対して回転させると、下プーリ７から巻き取り部２３を経た第二取付部２５までの下ワイヤ９の経路長が長くなる。具体的には、図３の（ａ）に示した状態では該経路は略直線状であるのに対して、図３の（ｂ）に示した状態では該経路は巻き取り部２３の上端が第二取付部２５より上方に突出した屈曲形状となる。このため、下ワイヤ９の該経路が長くなる。
このように経路長が長くなる結果、たるんだ状態の下ワイヤ９の一部が巻き取り部２３に巻き取られ、下ワイヤ９は巻き取り部２３の上端により上方に引っ張られ、下ワイヤ９に張力が付与される。
【００３０】
次に、スライダ２０をガイドレール１０に取り付ける。図４に示すように、ガイド部２１の溝にガイドレール１０の前縁１１を挿入し（図４の（ａ））、スライダ２０を上下方向に延びる回転軸回りに回転させながらガイドレール１０に嵌め込む（図４の（ｂ））。
以上の工程により、スライダ２０がガイドレール１０に取り付けられ、ウィンドレギュレータ１が完成する。
【００３１】
（効果）
図３の（ａ）に示した工程のように、たるんだ状態で上ワイヤ８をアクチュエータおよび第一取付部２４に取り付け、たるんだ状態で下ワイヤ９をアクチュエータおよび第二取付部２５に取り付ける作業は、張力を与えながら上ワイヤ８および下ワイヤ９を取り付ける作業と比べて簡単である。しかも、図３の（ａ）から（ｂ）に示すように、上ワイヤ８および下ワイヤ９を巻き取り部２３で巻き取ってそのたるみを除去するように巻き取り部２３を回転させるだけで上ワイヤ８および下ワイヤ９に張力を付与できるので、上ワイヤ８および下ワイヤ９に簡単に張力を与えることができる。
特に本実施形態においては、巻き取り部２３を回転させて巻き取り部２３に上ワイヤ８および下ワイヤ９を巻き取ることにより、上ワイヤ８および下ワイヤ９に張力を付与できるので、張力付与工程が簡単である。
【００３２】
また、本実施形態に係るウィンドレギュレータ１の製造方法によれば、張力付与工程後にスライダ２０をガイドレール１０に取り付ける工程を有し、スライダ２０を、スライダ２０がガイドレール１０に取り付けられる取付姿勢に対して傾けた状態で、上ワイヤ取付工程および下ワイヤ取付工程を行う、スライダ２０を取付姿勢となるように回転させて張力付与工程を行う。
スライダ２０という大きな部材に力を作用させて回転させるので、張力付与工程において大きな力が必要にならない。このため、張力付与工程が大きな負担にならない。また、必要な張力を付与した状態でスライダ２０がガイドレール１０に取り付けられるため、上ワイヤ８および下ワイヤ９に付与した張力を維持したまま、簡単に、スライダ２０をガイドレール１０に取り付けられる。
【００３３】
また、本実施形態に係るウィンドレギュレータ１において、巻き取り部２３の上ワイヤ８および下ワイヤ９が巻回される面は円弧状である。このため、巻き取り部２３に巻き付けられた上ワイヤ８および下ワイヤ９に応力が集中する箇所が生じにくく、断線しにくい。また、巻き取り部２３を回転させるときに巻き取り部２３が他の部材と干渉しにくい。
【００３４】
なお、上述の実施形態では、巻き取り部２３がスライダ２０の本体部２２に回転不能に固定されており、巻き取り部２３をスライダ２０ごと回転させて上ワイヤ８および下ワイヤ９に張力を付与する工程を説明したが、本発明はこれに限られない。
例えば、巻き取り部２３をスライダ２０の本体部２２に回転可能に取り付けておいてもよい。この場合、スライダ２０をガイドレール１０に取り付けた後で、上ワイヤ８および下ワイヤ９をたるんだ状態でアクチュエータ５およびスライダ２０に取り付け、スライダ２０の本体部２２に対して巻き取り部２３を回転させることにより上ワイヤ８および下ワイヤ９に張力を付与してもよい。
【００３５】
また、上述の実施形態では、ワイヤ巻き取り部の一例として、上ワイヤ８および下ワイヤ９を巻き取る巻き取り部２３を説明したが、本発明はこれに限られない。
図５は、本発明の変形例に係るウィンドレギュレータの製造方法における張力付与工程を説明する模式図である。図５に示すように、本変形例のスライダ２０Ａは、楕円状のワイヤ巻き取り部２３Ａを備えている。このワイヤ巻き取り部２３Ａは、スライダ２０Ａの本体部２２Ａに固定されている。
【００３６】
図５の（ａ）に示すように、スライダ２０Ａをガイドレール１０に取り付ける前の状態においては、楕円状のワイヤ巻き取り部２３Ａの長軸は上下方向に延びている。この状態においては、上ワイヤ８および下ワイヤ９はたるんだ状態で、上下方向に延びており、ワイヤ巻き取り部２３Ａに接触していない。
【００３７】
上ワイヤ８を第一取付部２４Ａおよびアクチュエータ５に取り付け、下ワイヤ９を第二取付部２５Ａおよびアクチュエータ５に取り付ける。その後、図５の（ｂ）に示すように、スライダ２０Ａを取付姿勢となるように回転させ、ワイヤ巻き取り部２３Ａの長軸が左右方向に延びる姿勢とする。すると、ワイヤ巻き取り部２３Ａの長軸方向の両端部が上ワイヤ８および下ワイヤ９に接触する。
これにより、上ワイヤ８は、ワイヤ巻き取り部２３Ａに巻かれて上プーリ６から第一取付部２４Ａの間で右方に凸となるように屈曲する。下ワイヤ９は、ワイヤ巻き取り部２３Ａに巻かれて下プーリ７から第二取付部２５Ａの間で左方に凸となるように屈曲する。このように、第一取付部２４Ａから上プーリ６までの経路長、および、第二取付部２５Ａから下プーリ７までの経路長が長くなる結果、上ワイヤ８および下ワイヤ９のたるみが除去され、それぞれに張力が付与される。
【００３８】
このように、ワイヤ巻き取り部２３Ａを回転させてワイヤ巻き取り部２３Ａによって上ワイヤ８および下ワイヤ９を巻き取り、たるみを除去することにより、上ワイヤ８および下ワイヤ９に張力を付与してもよい。
【００３９】
なお、上述の実施形態では、上ワイヤ８および下ワイヤ９の両方に張力を付与する例を説明したが、上ワイヤ８および下ワイヤ９の少なくとも一方に張力を付与する構成としてもよい。
【符号の説明】
【００４０】
１  ウィンドレギュレータ
４  取付ブラケット
５  アクチュエータ
６  上プーリ
７  下プーリ
８  上ワイヤ
９  下ワイヤ
１０  ガイドレール
１１  前縁
２０  スライダ
２１  ガイド部
２２  本体部
２３  巻き取り部
２４  第一取付部
２５  第二取付部
【図１】
2016180261.tif 000003
【図２】
2016180261.tif 000004
【図３】
2016180261.tif 000005
【図４】
2016180261.tif 000006
【図５】
2016180261.tif 000007